(57)【特許請求の範囲】
【請求項１】
複数の発光ダイオードが各々備えられた互いに連結可能な筒体である器具であって、帯状に連結した状態で被取付物に巻きつけて取り付け可能な複数の照明具本体と、前記発光ダイオードが長手方向に沿って実装された長尺状の基板を挿入脱するために照明具本体の長手方向の端部に設けられた開口を閉塞する複数の蓋体とを備えており、前記照明具本体の短手方向の一方の端部には雄連接部が、他方の端部には隣り合う別の照明具本体の雄連接部を回動自在に連結する雌連接部が設けられており、前記蓋体は、照明具本体の開口に装着入される部分であり且つ蓋本体の上面又は下面に突設された挿入着部と、当該照明具本体の雄連接部の鉛直線上に位置し且つ蓋本体の一方側面に突設された第１の突起部と、当該照明具本体の雌連接部の鉛直線上に位置し且つ蓋本体の他方側面に突設された第２の突起部とを有しており、第１、第２の突起部は、隣り合う別の照明具本体に装着された蓋体の第２、第１の突起部がそれぞれ重なり合うように配置され、挿入着部、蓋本体及び第１、第２の突起部には、前記基板に電気接続されたコードを通すための連通孔が形成されていることを特徴とする照明具。
【請求項２】
複数の発光ダイオードが各々備えられた互いに連結可能な筒体である器具であって、帯状に連結した状態で被取付物に巻きつけて取り付け可能な複数の照明具本体と、前記発光ダイオードが長手方向に沿って実装された長尺状の基板を挿入脱するために照明具本体の長手方向の端部に設けられた開口を閉塞する複数の蓋体とを備えており、前記照明具本体の短手方向の一方の端部には雄連接部が、他方の端部には隣り合う別の照明具本体の雄連接部を回動自在に連結する雌連接部が設けられており、前記蓋体は、照明具本体の開口に装着入される部分であり且つ蓋本体の上面又は下面に突設された挿入着部と、当該照明具本体の雄連接部又は雌連接部の鉛直線上に位置し且つ蓋本体の一方側面に突設された雄筒体と、当該照明具本体の雌連接部又は雄連接部の鉛直線上に位置し且つ蓋本体の他方側面に突設された雌筒体とを有しており、雄筒体、雌筒体は、隣り合う別の照明具本体に装着された蓋体の雌筒体、雄筒体にそれぞれ嵌まり込むように配置され、挿入着部、蓋本体には、前記基板に電気接続されたコードを通すために雄筒体及び雌筒体に連通する連通孔が形成されていることを特徴とする照明具。
【請求項３】
前記照明具本体は、正面側よりも背面側が幅狭に設けられており、前記連結部は照明具本体の正面側に設けられている請求項１又は２記載の照明具。
【請求項４】
前記照明具本体の背面側には、被取付物に取り付けるための取付部が設けられている請求項１乃至３の何れかに記載の照明具。
【発明の詳細な説明】
【０００１】
【発明の属する技術分野】
本発明は、照明具に関して、特に、歩行者の安全を確保等のために道路の電柱等に設置される電柱用照明具に適したものである。
【０００２】
【従来の技術】
従来、電柱用照明具は、一般に電柱の上部に取り付けられ、下方に向けて発光する蛍光灯が用いられる。かかる蛍光灯は、例えば、取付具を介して電柱の５ｍ前後の高さの所から道路側に突出して取り付けられる。
【０００３】
【発明が解決しようとする課題】
しかしながら、上記照明具にあっては、通行人等の上部から照明するものであるので、通行人の顔等が暗くなり、防犯上好ましくない。かかる点を考慮して、照明具をできる限り下方に取り付けると、電柱から道路側に突出しているので、走行車両等に接触するおそれも存在する。
【０００４】
また、蛍光灯の寿命に伴い、その蛍光灯を交換する作業が極めて繁雑である。
【０００５】
そこで、本発明は、例えば電柱のように湾曲している被取付物であっても、容易且つ確実に取り付けることができ、且つ、その寿命が長く、取替え作業等の簡便な照明具を提供とすることを課題とする。
【０００６】
【課題を解決するための手段】
本発明に係る照明具は、複数の発光ダイオードが各々備えられた互いに連結可能な筒体である器具であって、帯状に連結した状態で被取付物に巻きつけて取り付け可能な複数の照明具本体と、前記発光ダイオードが長手方向に沿って実装された長尺状の基板を挿入脱するために照明具本体の長手方向の端部に設けられた開口を閉塞する複数の蓋体とを備えており、前記照明具本体の短手方向の一方の端部には雄連接部が、他方の端部には隣り合う別の照明具本体の雄連接部を回動自在に連結する雌連接部が設けられており、前記蓋体は、照明具本体の開口に装着入される部分であり且つ蓋本体の上面又は下面に突設された挿入着部と、当該照明具本体の雄連接部の鉛直線上に位置し且つ蓋本体の一方側面に突設された第１の突起部と、当該照明具本体の雌連接部の鉛直線上に位置し且つ蓋本体の他方側面に突設された第２の突起部とを有しており、第１、第２の突起部は、隣り合う別の照明具本体に装着された蓋体の第２、第１の突起部がそれぞれ重なり合うように配置され、挿入着部、蓋本体及び第１、第２の突起部には、前記基板に電気接続されたコードを通すための連通孔が形成されていることを特徴とする。
【０００７】
また、本発明に係る別の照明具は、複数の発光ダイオードが各々備えられた互いに連結可能な筒体である器具であって、帯状に連結した状態で被取付物に巻きつけて取り付け可能な複数の照明具本体と、前記発光ダイオードが長手方向に沿って実装された長尺状の基板を挿入脱するために照明具本体の長手方向の端部に設けられた開口を閉塞する複数の蓋体とを備えており、前記照明具本体の短手方向の一方の端部には雄連接部が、他方の端部には隣り合う別の照明具本体の雄連接部を回動自在に連結する雌連接部が設けられており、前記蓋体は、照明具本体の開口に装着入される部分であり且つ蓋本体の上面又は下面に突設された挿入着部と、当該照明具本体の雄連接部又は雌連接部の鉛直線上に位置し且つ蓋本体の一方側面に突設された雄筒体と、当該照明具本体の雌連接部又は雄連接部の鉛直線上に位置し且つ蓋本体の他方側面に突設された雌筒体とを有しており、雄筒体、雌筒体は、隣り合う別の照明具本体に装着された蓋体の雌筒体、雄筒体にそれぞれ嵌まり込むように配置され、挿入着部、蓋本体には、前記基板に電気接続されたコードを通すために雄筒体及び雌筒体に連通する連通孔が形成されていることを特徴としている。
【０００８】
これらの照明具は、連結部を介して回動自在に複数の照明具本体が連結されているので、電柱等の湾曲している被取付物であっても、連結部の回動によって被取付物に添うように取り付けることができ、発光ダイオードによって外部に光を放出して、外部の照明を行うことができる。このように、発光ダイオードにより光を発光することにより、従来の電柱用照明具としての蛍光灯よりもその寿命が長く、その取替え作業の繁雑さを軽減することが可能となる。しかも、例えば電柱に使用する場合には、電柱に巻き付けて取り付けることができるため、従来の電柱用照明具のように道路側に突出せず、このため比較的低い位置であっても取り付けることができ、例えば、通行人の顔が明るくなるような照明を行うことが可能となる。
【０００９】
また、照明具本体が短手方向に連結されているので、電柱のように被取付物の湾曲度が大きい場合であっても、的確に照明具本体を取り付けることができる。また、長手方向に発光ダイオードが配されているので、所望数の発光ダイオードを配することができ、これにより所望の光量を得ることができる。また、発光ダイオードは、筒状の照明具本体に内在されることになるため、外部において設置される電柱等の被取付物に取り付けた場合にあっても、発光ダイオードの破損等を的確に防止できる。更に、照明具本体の開口から発光ダイオード及び基板を挿入着して、この開口に蓋体を取り付けて閉塞することによって、容易且つ確実に製造することができる。また、収容空間部は蓋体によって閉塞されているので、外部に設置される場合であっても、的確に基板及び発光ダイオードを保護することができる。
【００１０】
また、本発明において、連結部を照明具本体の背面側に設けることも可能であるが、照明具本体が、正面側よりも背面側が幅狭に設けられており、前記連結部は、照明具本体の正面側に設けられていることが好ましい。つまり、連結部を背面側に設けると、照明具本体同士には、その正面側に隙間が生じ、かかる部位にゴミの付着等の問題が生じるが、連結部を照明具本体の正面側に設けることによって、かかる問題を防止することができる。また、照明具本体が、正面側より背面側が幅狭であるため、背面側において照明具本体同士が当接するまでの角度が広くなり、照明具本体同士の回動角度を十分にとることができる。このため、電柱のような被取付物であっても、的確且つ確実に取り付けることができる。
【００１２】
また、本発明においては、照明具本体の背面側に、被取付物に取り付けるための取付部を設けることが好ましい。
【００１３】
これによって、背面側の取付部を介して容易且つ確実に被取付物に取り付けることができ、また、正面側に取付部を設ける場合に比して正面側の発光ダイオードによる照射面を広く設けることができる。
【００１８】
【発明の実施の形態】
図１は本発明の第一実施形態に係る電柱用照明具の正面図、図２は要部拡大断面平面図、図３は同実施形態の電柱用照明具の要部拡大断面側面図、図４は同実施形態の蓋体の説明図であり、（イ）は正面図、（ロ）は側面図、（ハ）は底面図、図５は同実施形態の電柱用照明具の概略的組立図であるが、説明のため一つの照明具本体についてのみ図示している。図６は同実施形態の電柱用照明具の取付状態の説明図であり、（イ）は平面図、（ロ）は要部拡大平面図である。図７は他実施形態の照明具の蓋体の説明図であり、（イ）は正面図、（ロ）は側面図、図８は他実施形態の照明具の蓋体の説明図であり、（イ）は側面図、（ロ）は底面図、図９はさらに他実施形態の照明具の蓋体の説明図であり、（イ）は筒体の部分を切欠いた一部破断底面図、（ロ）は右側面図、（ハ）は左側面図、（ニ）は平面図、（ホ）は連結した状態を示す断面図である。
【００１９】
本実施形態の照明具は、被取付物の一例としての電柱に巻き付け可能な電柱用照明具であり、連結部１０１によって回動自在に連結される複数の照明具本体１００から構成されており、該照明具本体１００には、内部に発光ダイオード１５０を備えている。この発光ダイオード１５０は、図３に示すように、基板１３０に複数固定され、照明具本体１００の長手方向に複数配されるように固定されている。また、発光ダイオード１５０は、その発光方向が下方側に傾斜した状態で、基板１３０に固定されている。該基板１３０は、コード１４０を介して電源（図示省略）から電源が供給されている。
【００２０】
また、図１に示すように、複数の照明具本体１００のうち、一端側に位置する照明具本体１００には、ＣＤＳ回路１１０が内蔵されており、該ＣＤＳ回路１１０によって、周囲が暗くなった時に、他の照明具本体１００の発光ダイオード１５０を発光させるべく電力を供給し、周囲が明るくなった時に、他の照明具本体１００の発光ダイオード１５０の発光を中止するべく電力を供給しないように設けられている。なお、図１においては、ＣＤＳ回路１１０は正面に設けられているが、側面に設けてもよい。側面にＣＤＳ回路１１０を設けたほうが、夕方になった場合の太陽光の検出に有利だからである。
【００２１】
また、照明具本体１００は、正面壁、背面壁、及び、両側壁から、平面視略方形状の筒状に形成されており、両側壁の正面側からそれぞれ外側に連結部１０１が突設されている。これによって、照明具本体１００は、図２に示すように、発光ダイオード１５０の照射側に位置する正面側が、背面側よりも幅広に形成されている。
【００２２】
この連結部１０１は、照明具本体１００の長手方向に沿って形成されている。また、図２に示すように、照明具本体１００に形成される一対の連結部１０１のうち、一方の連結部１０１の内側には、他方の連結部１０１を収容可能な溝部が形成されており、より具体的には、照明具本体１００は、一方（右側）の連結部１０１に、一方側（右側）で隣接する照明具本体１００の他方の連結部１０１に連結され、他方（左側）の連結部１０１に、他方側（左側）で隣接する照明具本体１００の一方の連結部１０１に連結されて、これにより複数の照明具本体１００が、短手方向に連続して連結されている。つまり、照明具本体１００の連結部１０１は、両側に形成され、その一方の連結部１０１が他方の連結部１０１に回動自在な形状に形成されている。
【００２３】
また、照明具本体１００は、透明又は半透明の合成樹脂の成形品から一体的に形成されており、具体的には、耐候性アクリルから一体成形されている。
【００２４】
前記照明具本体１００の内部には、基板１３０の取付用の溝部１０３が長手方向に沿って形成されている。具体的には、該溝部１０３は、対向する側壁内面に形成され、側壁内面の背面側に形成されている。そして、該溝部１０３に基板１３０が装着され、照明具本体１００の筒状の内部（収容空間部１００ａ）に、発光ダイオード１５０が長手方向に沿って配されることになる。また、該照明具本体１００において、複数の発光ダイオード１５０は、正面側で、若干下方側に傾斜した方向に光を射出するように、下方に傾斜して設けられることになる。
【００２５】
照明具本体１００は、上下に開口を有し、筒状に形成されており、この筒状の内部が、前記発光ダイオード１５０及び基板１３０が収容される収容空間部１００ａとして機能する。そして、該収容空間部１００ａに前記発光ダイオード１５０が固定された基板１３０を開口から挿入着して、この開口に蓋体１７０を取り付けることによって、発光ダイオード１５０が基板１３０とともに収容空間部１００ａに収容されている。
【００２６】
前記蓋体１７０は、照明具本体１００の上下の開口にそれぞれ取り付けられ、取り付けた際に照明具本体１００の収容空間部１００ａを略密封するように設けられている。該蓋体１７０は、ゴム部材等の弾性体から、一体的に構成されている。
【００２７】
ここで、蓋体１７０は、図３乃至図５に示すように、蓋本体の一端から、前記照明具本体１００の開口の内面に挿入着される挿入着部１７１が突出して設けられている。該挿入着部１７１は、前記基板１３０の取付用の溝部１０３にも挿入着されるような形状に形成されている。
【００２８】
また、蓋体１７０は、蓋本体の両側から前記連結部１０１と同様に側方に突出した突出部１７３を有している。具体的には、この両側の突出部１７３は、蓋本体の側壁の正面側から外側に向けて突設されており、一方側の突出部１７３は、蓋本体の上方側から突出し、他方の突出部１７３は、蓋本体の下方側から突出して、取り付けた際に、隣接する蓋体１７０の突出部１７３同士が平面視重なり合うように設けられている。また、この突出部１７３は、前記連結部１０１と平面視重なり合うように設けられており、つまり、突出部１７３同士の重なり合う部分が、連結部１０１の回動軸１０１ａに位置するように設けられている。
【００２９】
また、該蓋体１７０には、基板１３０に接続されるコード１４０が通される連通孔１７５が形成されている。なお、このコード１４０は、電源及びＣＤＳ回路１１０に接続され、各基板１３０に接続されている。前記蓋体１７０の連通孔１７５は、隣接する蓋体１７０と連続的に形成されている。
【００３０】
前記連通孔１７５は、具体的には、突出部１７３において、重なり合う隣の突出部１７３と対向する面から、表出するように設けられており、該連通孔１７５が、この表出部分から蓋本体に連通して、前記挿入着部１７１において表出するように設けられている。このため、隣接する蓋体１７０の連通孔１７５に通されたコード１４０が、上記突出部１７３の表出部分から連通孔１７５に入り、これが挿入着部１７１の表出部分から出て基板１３０に接続されるような状態で、コード１４０が連通孔１７５に通されることになる。また、同様に、該基板１３０からのコード１４０は、前記挿入着部１７１の表出部分から入り、これが前記突出部１７３の表出部分から隣接する蓋体１７０の連通孔１７５に向けて出るような状態で、コード１４０が連通孔１７５に通されている。これによって、蓋体１７０には、隣接する蓋体１７０同士において、連通孔１７５同士が連続部分（突出部１７３の表出部分）によって連通され、この連続部分が、連結部１０１の回動軸１０１ａ上に位置するように設けられている。
【００３１】
また、蓋体１７０には、前記連通孔１７５にコード１４０を介在させる際に、連通孔１７５を開放するための切り溝１７７が形成されており、該切り溝１７７を介して連通孔１７５を開放させて、その開放部分からコード１４０が介在され、その後、蓋体１７０の挿入着部１７１が照明具本体１００に挿入着されることによって、この切り溝１７７から開放されないように設けられている。なお、蓋体１７０は、上下何れも同一構成のものが用いられ、上下の蓋体１７０は、上下逆に取り付けられている。なお、コード１４０を介在させない一方側（下側）の蓋体１７０については、上記切り溝１７７を形成する必要はない。
【００３２】
また、各照明具本体１００の背面側には、被取付物である電柱に取り付けるための取付部１８１が設けられている。この取付部１８１は、照明具本体１００に取り付けられた背面部材１８０に設けられている。この背面部材１８０は、取り付けられた蓋体１７０を照明具本体１００側に押圧するように設けられているものである。具体的には、該背面部材１８０は、照明具本体１００と略同様の長さ（蓋体１７０の蓋本体の高さだけ長い長さ）からなる垂直部と、その垂直部の上下端のそれぞれから同一方向に屈曲した上下の屈曲部とから、全体として側面略コの字状の形状からなる。そして、上方の屈曲部が上方の蓋体１７０を下方側に押圧し、下方側の屈曲部が下方の蓋体１７０を上方側に押圧するように設けられている。また、該背面部材１８０（の垂直部）の背面側には、前記取付部１８１が設けられている。該取付部１８１は、巻付けバンド１９０等の取付手段が挿入できるような孔部から形成されている。なお、図３においては、取付部１８１は、背面部材１８０とは別部品のものとされているが、背面部材１８０にプレス加工を施すことによって一体に形成されたものであってもよい。取付部１８１は背面部材１８０と一体に形成されている方が、量産性という観点から望ましい。
【００３３】
本実施形態の照明具は、上記構成からなるので、背面側の取付部１８１に巻付けバンド１９０を挿入して、これを電柱に巻き付け固定することによって、電柱に取り付けることができる。このように電柱に取り付けられた照明具は、発光ダイオード１５０によって外部に光を放出して、夜間における道路等を照らすことができる。このように、発光ダイオード１５０により光を発光することにより、従来の蛍光灯よりもその寿命が長いという利点を有する。
【００３４】
さらに、電柱に巻き付けられた状態で取り付けられ、従来のものと異なり道路側に突出せずに取り付けることができるので、例えば２〜３メートル程度の高さの位置に取り付けた場合であっても、走行車両の邪魔にならない。このため、比較的低い位置に取り付けられることにより、通行者の顔の部分が明るくなり、防犯効果に優れるという利点を有する。
【００３５】
また、上述のように簡単に取り付けることができるので、従来の照明具の蛍光灯の交換作業等に比べて、その取替え作業が容易であるという利点を有する。
【００３６】
さらに、発光ダイオード１５０は下方に傾斜して取り付けられているので、電柱の３〜４メートルの高さの位置に取り付けた場合にあっても、発光ダイオード１５０による光は、所望箇所を照らすよう設計することができる。
【００３７】
また、照明具本体１００には、短手方向に連結部１０１が設けられているので、電柱のように被取付物の湾曲度が大きい場合であっても、的確に照明具本体１００を取り付けることができるとともに、長手方向に発光ダイオード１５０が配されているので、所望数の発光ダイオード１５０を配することができ、これにより所望の光量を得ることができる。
【００３８】
また、連結部１０１を介して照明具本体１００を複数連結しているものであるので、その連結する個数によって、その幅方向の長さを所望の長さとすることができる。このため、上記のように電柱に取り付けた場合にあっては、図示例のように電柱の背面側には照明具本体１００が位置しないように設けることでき、このため、背面側からは光が放出されず、例えば道路に面した民家内等を照らすことがなく、プライバシーの問題も回避することができる。
【００３９】
また、照明具本体１００が正面側よりも背面側が幅狭に設けられ、前記連結部１０１は照明具本体１００の正面側に設けられているので、正面側に隙間が生じにくくなり、このため、隙間部分へのゴミの付着等の問題を未然に防止することができる。また、正面側より背面側が幅狭であるため、背面側において照明具本体１００同士が当接するまでの角度が広くなり、照明具本体１００同士の回動角度を十分にとることができる。このため、電柱のような被取付物であっても、的確且つ確実に取り付けることができる。
【００４０】
さらに、上記のように、発光ダイオード１５０及び基板１３０は、照明具本体１００内に収容されているので、電柱に設置する場合のように外部に設置しても、これらを風雨から保護することができる。特に、該発光ダイオード１５０が固定される基板１３０は、照明具本体１００の内部の溝部１０３に固定されることになるので、取付時の振動等によって発光ダイオード１５０が収容空間部１００ａの壁部とぶつかり破損されることを的確に防止することができる。
【００４１】
また、発光ダイオード１５０及び基板１３０を照明具本体１００の開口から容易に挿入脱することができるとともに、該開口には蓋体１７０が取り付けられることにより、収容空間部１００ａを略密閉状態として、発光ダイオード１５０等を風雨等から守ることができる。
【００４２】
さらに、蓋体１７０は、開口に挿入着される挿入着部１７１が設けられ、容易に装着することができるとともに、該挿入着部１７１は弾性を有するので、この弾性によって、不用意な離脱を的確に防止することができる。また、挿入着部１７１は、前記溝部１０３にも挿入着されるような形状で形成されているため、不用意な離脱をより的確に防止することができる。しかも、蓋体１７０の突出部１７３が隣接する蓋体１７０の突出部１７３と重なり合うように設けられているので、一方の蓋体１７０の不用意な離脱を他方の蓋体１７０の突出部１７３によって防止することができる。また、この突出部１７３は両側から突出され、一方側の突出部１７３は蓋本体の上方側から突出し、他方の突出部１７３は蓋本体の下方側から突出しているので、蓋体１７０は、隣接する何れかの蓋体１７０の突出部１７３によって、離脱が防止されており、各蓋体１７０の離脱を的確に防止することができる。また、蓋体１７０は、背面部材１８０によってもその離脱が防止され、蓋体１７０の不用意な離脱が確実に防止されている。
【００４３】
また、コード１４０は、蓋体１７０の連通孔１７５を介して収容空間部１００ａ内の基板１３０に接続されるため、照明具本体１００に穿孔等を形成する必要がない。また、連通孔１７５は、隣接する蓋体１７０と連続して設けられているので、コード１４０の外部への露出を少なくすることができる。また、該連通孔１７５同士の連続部分は、前記連結部１０１の回動軸１０１ａ上に位置する突出部１７３に設けられ、つまり、この連通孔１７５の連続部分が回動軸１０１ａ上に位置するため、照明具本体１００同士を所望の角度で回動させた場合にも、該コード１４０に対する負荷が少ない。
【００４４】
また、上述のように蓋体１７０の突出部１７３が隣接する蓋体１７０の突出部１７３と重なり合うように設けられているともに、該突出部１７３は、連結部１０１の回動軸１０１ａ上に位置するため、連結部１０１同士がスライドしようとしても、連結部１０１は、隣接する照明具本体１００に取り付けられた蓋体１７０の突出部１７３によってそのスライドが防止され、連結部１０１の連結が不用意に離脱することが的確に防止されている。
【００４５】
なお、上記実施形態は、上記構成から上述の利点を有するものであったが、本発明はこれに限定されるものではなく、本発明の意図する範囲内で、適宜設計変更可能である。
【００４６】
つまり、上記実施形態においては、電柱に取り付けられる電柱用照明具について説明したが、本発明に係る照明具の用途は、これに限定されるものではなく、例えば、立体駐車場のカーブ部分の壁や、ガードレール等に取り付けることも可能であり、特に、湾曲する被取付物に好適に用いることができる。
【００４７】
また、本発明において上記実施形態のような蓋体１７０を設ける場合にあっても、上記実施形態のものに限定されるものではなく、蓋体１７０の構造等は適宜設計変更可能な事項である。つまり、例えば、上記実施形態にあっては連通孔１７５を設け、隣接する連通孔１７５と連続するように設けたため、上記利点を有するものであったが、例えば、図７に示すように、連通孔１７５が同士が連続しないように設けることも適宜設計変更可能な事項である。図７に示す蓋体１７０にあっては、連通孔１７５は、突出部１７３には形成されておらず、蓋本体の両側（の略中央）から表出するように設けられているものである。また、図示例にあっては、上記実施形態と同様の切り溝１７７が、挿入着部１７１から上方の連通孔１７５まで形成されている。
【００４８】
さらに、本発明に係る照明具の取付方法は種々の方法が採用でき、また、本発明において上記実施形態のように背面側に取付部１８１を設ける場合にあっても、上記実施形態のように、背面部材１８０に設けるものに限定されるものではなく、例えば、蓋体１７０に取付部１８１を設けるものも本発明の意図する範囲内である。
【００４９】
また、上記実施形態にあっては、発光ダイオード１５０を所望方向（下方）に傾斜して、発光ダイオード１５０による光が所望箇所を照らすよう設計しているものについて説明したが、本発明は、これに限定されるものではない。また、発光ダイオード１５０による光が所望箇所を照らすよう設ける場合にあっても、例えば、照明具本体１００の正面に光の方向性を定める指向性フィルムを貼着して、所望箇所を照らすよう設計することも可能である。
【００５０】
また、図９に示すような蓋体１７０であってもよい。この蓋体１７０は、コード１４０を通す筒体１７６ａ、１７６ｂが両側面に突出形成されている。この筒体１７６ａは隣接する蓋体１７６の筒体１７６ｂに嵌合するものである。一方の筒体１７６ｂの内径は、他方の筒体１７６ａの外径より若干大きく設定されているため、両筒体１７６ａ、１７６ｂが嵌合できるのである。一方の筒体１７６ｂの内部では、他方の筒体１７６ａの先端が接触するように小径部１７７が設けられている（図９（イ）及び（ホ）参照）。この小径部１７７があるために、両筒体１７６ａ、１７６ｂの間での水密、気密性が確保されるのである。このようにすると、コード１４０は外部に露出されないので、天候等に起因する劣化を防止することができる。
【００５１】
【発明の効果】
上述のように、本発明は、連結部を介して回動自在に複数の照明具本体が連結されているので、電柱等の湾曲している被取付物にあっても、連結部の回動によって被取付物に添うように取り付けることができ、照明具本体の発光ダイオードによって外部に光を放出して、外部の照明を行うことができ、従来の電柱用照明具としての蛍光灯よりもその寿命が長く、その取替え作業の繁雑さを軽減することが可能となる。しかも、例えば被取付物として電柱に使用する場合には、電柱に巻き付けるように取り付けることができるため、従来の電柱用照明具のように道路側に突出せず、このため比較的低い位置であっても取り付けることができ、例えば、通行人の顔が明るくなるような照明を行うことが可能となる。
【図面の簡単な説明】
【図１】本発明の第一実施形態に係る電柱用照明具の正面図である。
【図２】同実施形態の要部拡大断面平面図である。
【図３】同実施形態の電柱用照明具の要部拡大断面側面図である。
【図４】同実施形態の蓋体の説明図であり、（イ）は正面図、（ロ）は側面図、（ハ）は底面図である。
【図５】同実施形態の電柱用照明具の概略的組立図である。
【図６】同実施形態の電柱用照明具の取付状態の説明図であり、（イ）は平面図、（ロ）は要部拡大平面図である。
【図７】他実施形態の照明具の蓋体の説明図であり、（イ）は正面図、（ロ）は側面図である。
【図８】他実施形態の照明具の蓋体の説明図であり、（イ）は側面図、（ロ）は底面図である。
【図９】  さらに他実施形態の照明具の蓋体の説明図であり、（イ）は筒体の部分を切欠いた一部破断底面図、（ロ）は右側面図、（ハ）は左側面図、（ニ）は平面図、（ホ）は連結した状態を示す断面図である。
【符号の説明】
１００    照明具本体
１００ａ  収容空間部
１０１    連結部
１０１ａ  回動軸
１０３    溝部（基板固定）
１１０    ＣＤＳ回路
１３０    基板
１４０    コード
１５０    発光ダイオード
１７０    蓋体
１７１    挿入着部
１７３    突出部
１７５    連通孔
１７７    切り溝
１８０    背面部材
１８１    取付部
１９０    巻付けバンド（取付手段）
【図１】
0003638899.tif 000002
【図２】
0003638899.tif 000003
【図３】
0003638899.tif 000004
【図４】
0003638899.tif 000005
【図５】
0003638899.tif 000006
【図６】
0003638899.tif 000007
【図７】
0003638899.tif 000008
【図８】
0003638899.tif 000009
【図９】
0003638899.tif 000010